(57)【要約】【課題】構造が簡単で、かつ、多少の外力が加わっても竪樋部材が集水器から外れることのない、集水器への竪樋部材の接続構造を提供する。【解決手段】集水器３と継手リング１と竪樋部材２とからなる接続構造であって、該継手リング１は上記集水器３の落とし口３１に回転自在に係止され、上記継手リング１の内側の略中央部には抑え縁１２が、内側の下端部には接続縁１３がそれぞれ周設されるとともに、この接続縁１３には上記竪樋部材２の上端部の外面に互いに反対向きに突設された係止突起４が貫入する貫入隙間１３１が設けられた集水器への竪樋部材の接続構造。【選択図】図５
2006225862.tif 000002
【特許請求の範囲】
【請求項１】
集水器と継手リングと竪樋部材とからなる接続構造であって、該継手リングはその上端部に周設された被係止縁が上記集水器の落とし口に回転自在に係止され、上記継手リングの内側の略中央部には抑え縁が、内側の下端部には接続縁がそれぞれ周設されるとともに、この接続縁には上記竪樋部材の上端部に互いに外向きに突設された係止突起が貫入する貫入隙間が設けられた集水器への竪樋部材の接続構造。
【請求項２】
上記接続縁に設けられた貫入隙間を構成する端部にはストッパ片が立設された請求項１に記載の集水器への竪樋部材の接続構造。
【請求項３】
上記抑え縁には下に向けて広がるテーパ状の誘導隙間が設けられた請求項１に記載の集水器への竪樋部材の接続構造。
【発明の詳細な説明】
【技術分野】
【０００１】
本発明は、集水器に継手リングを介して竪樋継手や竪樋等の竪樋部材を接続するための接続構造に関する。
【背景技術】
【０００２】
上記集水器の落とし口に継手筒を回転自在に係止させ、この継手筒にエルボのような竪樋継手や竪樋等の竪樋部材を接続する構造が知られている。
【特許文献１】特開平１０−２９９１９４号公報（第１〜４頁、第１図、第２図）
【発明の開示】
【発明が解決しようとする課題】
【０００３】
特許文献１の第１図、第２図から明らかなように、上記集水器の落とし口に回転自在に係止される継手筒の下端はフランジ構造とされ、上記竪樋部材の上端部の外面には係止突起が突設されている。すなわち、上記フランジ構造に設けられた隙間に上記係止突起を貫入し、上記継手筒を適当角度回転してフランジ面で係止突起を保持することにより、竪樋部材が集水器に接続される。
【０００４】
しかしながら、上記構造においては、強風等外部から予想外の力が加わると継手筒が自然に回転し、上記フランジ構造の隙間から係止突起が抜け、竪樋部材が集水器から外れるという問題がある。本発明は、このような問題を解決して、構造が簡単で、かつ、多少の外力が加えられても竪樋部材が集水器から外れることのない、集水器への竪樋部材の接続構造を提供することをその課題とする。
【課題を解決するための手段】
【０００５】
上記課題を解決するために、本発明においては、つぎのような技術的手段を講じている。すなわち、本発明によれば、集水器と継手リングと竪樋部材とからなる接続構造であって、該継手リングはその上端部に周設された被係止縁が上記集水器の落とし口に回転自在に係止され、上記継手リングの内側の略中央部には抑え縁が、内側の下端部には接続縁がそれぞれ周設されるとともに、この接続縁には上記竪樋部材の上端部に互いに外向きに突設された係止突起が貫入する隙間が設けられた集水器への竪樋部材の接続構造が提供される。上記集水器と継手リングと竪樋部材とは通常、プラスチックスを成形して得られる。
【０００６】
上記接続縁に設けられた貫入隙間を構成する端部にはストッパ片が立設されることが好ましい。また、上記抑え縁には下に向けて広がるテーパ状の誘導隙間が設けられることが好ましい。
【発明の効果】
【０００７】
請求項１に記載の発明は上記のとおりであり、集水器の落とし口に回転自在に係止された継手リングの内側の略中央部には抑え縁が、内側の下端部には接続縁がそれぞれ周設され、この接続縁には上記竪樋部材の上端部に互いに外向きに突設された係止突起が貫入する隙間が設けられているため、継手リングを適当角度回転することにより、上記係止突起が抑え縁と接続縁とに挟まれるようにしっかりと保持される。
【０００８】
また、上記接続縁に設けられた貫入隙間を構成する端部にはストッパ片が立設されているため、継手リングに横方向から外力が加わって自然回転してもストッパ片と係止突起とが当接し、貫入隙間からの抜け落ちを防ぐ。
【０００９】
上記抑え縁には下に向けて広がるテーパ状の誘導隙間が設けられているため、継手リングを適当角度回転させるとき、貫入隙間を貫いた係止突起の頂部と継手リングとの抵抗を減らして滑らかに回転させることができる。
【発明を実施するための最良の形態】
【００１０】
以下、本発明の実施形態について図面を参照して、詳細に説明する。図１は、本発明にかかる集水器への竪樋部材の接続構造を示す分解斜視図である。上記接続構造は、集水器３と継手リング１と竪樋部材２とからなり、集水器３の落とし口３１には継手リング係止縁３２が周設され、この継手リング係止縁３２によって継手リング１の上端部に設けられた被係止縁１１が係止される。このようにして、継手リング１は集水器３に回転自在に係止される。また、エルボのような竪樋部材２の上端部には互いに外向きに係止突起４が突設されている。
【００１１】
図２は、継手リング１を示す斜視図である。図２からよくわかるように、継手リング１の上端部には上記した継手リング被係止縁１１が複数個設けられ、内側の略中央部には抑え縁１２が、内側の下端部には接続縁１３がそれぞれ周設されている。図３は、継手リング１の平面図であり、図２、図３から明らかなように、抑え縁１２には誘導隙間１２１が上記係止突起４に対応して対向して設けられている。同様に、接続縁１３にも貫入隙間１３１が対向して設けられている。
【００１２】
図４は、図２におけるＡ−Ａ線に沿う側断面図である。図４からよくわかるように、上記誘導隙間１２１は下に向けて広がるテーパ状とされ、貫入隙間１３１を貫いた係止突起４の頂部との抵抗を減らして継手リング１が又は竪樋部材２が滑らかに回転するようにされている。また、上記貫入隙間１３１を構成する端部にはストッパ片１４が立設されている。
【００１３】
図５は、竪樋部材２の上端部の外面に突設された係止突起４を上記貫入隙間１３１に貫入し、竪樋部材２を継手リング１に接続する状態を示す説明図である。
継手リング１はその上端部に設けられた被係止縁１１が集水器３の落とし口３１に周設された継手リング係止縁３２に回転自在に係止されている。この継手リング１の接続縁１３に設けられた貫入隙間１３１に、図５に示す矢印にしたがって上記係止突起４を貫入し、ストッパ片１４に抗して継手リング１を適当な角度、例えば略直角に回転すると、ストッパ片１４が弾性変位し、係止突起４は接続縁１３まで移動して係止される。このとき、上記したように下に向けて広がるテーパ状の誘導隙間１２１は、貫入隙間１３１を貫いた係止突起４の頂部との抵抗を減らして継手リング１が滑らかに回転するように誘導する。
【００１４】
このようにして、継手リング１に接続された竪樋部材２は、係止突起４が抑え縁１２と接続縁１３に挟まれるように保持され、横方向から外力が加わってもストッパ片１４が貫入隙間１３１からの抜け落ちを防ぎ、抑え縁１２が縦方向の移動を防ぐ。このように本発明を実施することにより、横方向、縦方向から多少の外力が加わっても竪樋部材が集水器から外れることなく保持され、かくして、集水器へ竪樋部材をしっかりと接続することができる。
【図面の簡単な説明】
【００１５】
【図１】本発明にかかる集水器への竪樋部材の接続構造を示す分解斜視図である。
【図２】本発明にかかる継手リングを示す斜視図である。
【図３】継手リングの平面図である。
【図４】図２におけるＡ−Ａ線に沿う側断面図である。
【図５】本発明にかかる継手リングに竪樋部材を接続する状態を示す説明図である。
【符号の説明】
【００１６】
１          継手リング
１１        継手リング被係止縁
１２        抑え縁
１２１      誘導隙間
１３        接続縁
１３１      貫入隙間
１４        ストッパ片
２          竪樋部材
３          集水器
３１        落とし口
３２        継手リング係止縁
４          係止突起
【図１】
2006225862.tif 000003
【図２】
2006225862.tif 000004
【図３】
2006225862.tif 000005
【図４】
2006225862.tif 000006
【図５】
2006225862.tif 000007